(57)【要約】【課題】確実に開閉扉による閉鎖状態を維持できる収納部を有する物品陳列棚を提供する。【解決手段】上収納棚２３と、上収納棚２３の下方に離間して配置される下収納棚３３と、下収納棚３３に回動可能に取り付けられ上収納棚２３と下収納棚３３との間を前傾状態で閉鎖可能な下開閉扉３１と、を有する下収納部３０が、上方に取り付けられる物品陳列棚１であって、下収納棚３３には、軸を備える第一ヒンジ３２を介して下開閉扉３１が取り付けられ、上収納棚２３には、第一ヒンジ３２より前方で前記下開閉扉３１の上端部の回動軌跡Ａ内へ進退可能な係止部材３７が取り付けられている。【選択図】図３
2018000632.tif 000002
【特許請求の範囲】
【請求項１】
上方横架部材と、前記上方横架部材の下方に離間して配置される下方横架部材と、該下方横架部材に回動可能に取り付けられ前記上方横架部材と前記下方横架部材との間を前傾状態で閉鎖可能な開閉扉と、を有する収納部が、上方に取り付けられる物品陳列棚であって、
前記下方横架部材には、軸を備える第一ヒンジを介して前記開閉扉が取り付けられ、
前記上方横架部材には、前記第一ヒンジより前方で前記開閉扉の上端部の回動軌跡内へ進退可能な係止部材が取り付けられていることを特徴とする物品陳列棚。
【請求項２】
前記係止部材は、軸を備える第二ヒンジを介して前記上方横架部材に回動可能に取り付けられた下垂片であり、
前記開閉扉は、該開閉扉を開放状態から閉鎖状態にする際、前記開閉扉を閉鎖方向に回動させることで、前記下垂片と当接し、さらに前記開閉扉を同方向に回動させることで、該下垂片との前後位置が入れ替わることを特徴とする請求項１に記載の物品陳列棚。
【請求項３】
前記係止部材は、軸を備える第二ヒンジを介して前記上方横架部材に回動可能に取り付けられた下垂片であり、
前記開閉扉は、該開閉扉を閉鎖状態から開放状態にする際、前記下垂片とともに前記開閉扉を前記開閉扉の閉鎖方向に回動させることで、前記下垂片との前後位置が入れ替わる
ことを特徴とする請求項１または２に記載の物品陳列棚。
【請求項４】
前記下垂片は、前記上方横架部材に設けられたストッパにより前方への回動を規制されていることを特徴とする請求項２または３に記載の物品陳列棚。
【請求項５】
前記下垂片は、前方へ突出する把持部を有することを特徴とする請求項２ないし４のいずれかに記載の物品陳列棚。
【請求項６】
前記上方横架部材は、その前端部に前記係止部材が回動可能に取り付けられていることを特徴とする請求項１ないし５のいずれかに記載の物品陳列棚。
【請求項７】
前記下方横架部材は、その前端部に前記開閉扉が回動可能に取り付けられていることを特徴とする請求項１ないし６のいずれかに記載の物品陳列棚。
【発明の詳細な説明】
【技術分野】
【０００１】
本発明は、開閉可能な扉が取り付けられた収納部を有する物品陳列棚に関する。
【背景技術】
【０００２】
スーパーマーケットやドラッグストア等の売り場には、物品を陳列可能な棚板を複数有する物品陳列棚が用いられている。このような物品陳列棚には、視認性の良い上部前方に商品情報等が表示されたパネル材が掲示されているものがあり、該パネル材を前傾状態に取り付けて視認性を高めている。また、パネル材の後方の空間を収納部として有効利用している。さらに、パネル材を片手で開閉操作可能な開閉扉として収納部への物品の出し入れをしやすくして、脚立等を昇り降りして物品の出し入れを行う際の利便性を高めている。例えば、特許文献１に開示されているような技術が採用されている。
【０００３】
特許文献１によれば、上下に離間する一対の横架部材により収納部が形成され、下方の横架部材には物品を載置可能となっている。上方の横架部材には、その前端部に水平方向に延びる軸を中心に回動可能なトルクヒンジが設けられており、トルクヒンジには商品情報等が表示された開閉扉が取り付けられている。ここで、トルクヒンジは、開閉扉を任意の角度で保持することから、開閉扉を開放状態、閉鎖状態等の所望の状態に保持することができる。上方の横架部材は、下方の横架部材よりも前方に突出するように配置されているため、開閉扉の下端部を下方の横架部材の前端部に押し当てることで、前記開閉扉は前傾状態で、前記収納部前方の開口部を閉鎖状態にすることができる。この閉鎖状態では、トルクヒンジにより開閉扉は前傾状態に保持されているため、前記開閉扉に表示された商品情報等を視認しやすくなっている。
【先行技術文献】
【特許文献】
【０００４】
【特許文献１】特許第５３０７４８５号公報（第５頁、第一図）
【発明の概要】
【発明が解決しようとする課題】
【０００５】
しかしながら、特許文献１にあっては、開閉扉は閉鎖状態とされている平常の使用時には、開閉扉は前傾状態を開閉扉の上端部のトルクヒンジにより保持されるものであるため、トルクヒンジ自体の遊びや開閉扉の閉鎖操作が不十分であってもその位置（角度）に開閉扉が保持されることとなり、開閉扉の下端部と下方の横架部材との間に隙間が生じる虞があり、開閉扉による閉鎖状態の維持が難しくなっていた。
【０００６】
本発明は、このような問題点に着目してなされたもので、確実に開閉扉による閉鎖状態を維持できる収納部を有する物品陳列棚を提供することを目的とする。
【課題を解決するための手段】
【０００７】
前記課題を解決するために、本発明は、
上方横架部材と、前記上方横架部材の下方に離間して配置される下方横架部材と、該下方横架部材に回動可能に取り付けられ前記上方横架部材と前記下方横架部材との間を前傾状態で閉鎖可能な開閉扉と、を有する収納部が、上方に取り付けられる物品陳列棚であって、
前記下方横架部材には、軸を備える第一ヒンジを介して前記開閉扉が取り付けられ、
前記上方横架部材には、前記第一ヒンジより前方で前記開閉扉の上端部の回動軌跡内へ進退可能な係止部材が取り付けられていることを特徴としている。
この特徴によれば、開閉扉は、その下端部が下方横架部材に第一ヒンジより取り付けられ、その上端部が第一ヒンジよりも前方で上方横架部材に取り付けられた係止部材に係止可能とされているため、開閉扉を閉鎖したときに開閉扉は前傾状態となり、この状態で開閉扉には自重により開放方向へのモーメントが作用して、開閉扉の上端部側の前端部を係止部材に当接させることとなり、確実に開閉扉による閉鎖状態を維持できる。
【０００８】
前記係止部材は、軸を備える第二ヒンジを介して前記上方横架部材に回動可能に取り付けられた下垂片であり、
前記開閉扉は、該開閉扉を開放状態から閉鎖状態にする際、前記開閉扉を閉鎖方向に回動させることで、前記下垂片と当接し、さらに前記開閉扉を同方向に回動させることで、該下垂片との前後位置が入れ替わることを特徴としている。
この特徴によれば、開閉扉を一方向に回動させるだけで、下垂片の前後位置が入れ替わって開閉扉が係止されるため、閉鎖の操作が簡単である。
【０００９】
前記係止部材は、軸を備える第二ヒンジを介して前記上方横架部材に回動可能に取り付けられた下垂片であり、
前記開閉扉は、該開閉扉を閉鎖状態から開放状態にする際、前記下垂片とともに前記開閉扉を前記開閉扉の閉鎖方向に回動させることで、前記下垂片との前後位置が入れ替わることを特徴としている。
この特徴によれば、下垂片を一方向に回動させるだけで、下垂片と開閉扉の前後位置が入れ替わって、開閉扉は開放方向へ回動可能となるため、開放の操作が簡単である。
【００１０】
前記下垂片は、前記上方横架部材に設けられたストッパにより前方への回動を規制されていることを特徴としている。
この特徴によれば、下垂片の前方への回動を規制するストッパが上方横架部材に設けられているため、構造を単純にすることができる。
【００１１】
前記下垂片は、前方へ突出する把持部を有することを特徴としている。
この特徴によれば、開閉における操作性が向上するとともに、指を挟み難くすることができる。
【００１２】
前記上方横架部材は、その前端部に前記下垂片が回動可能に取り付けられていることを特徴としている。
この特徴によれば、構造が簡単であり開閉扉の閉鎖位置の精度を高められる。
【００１３】
前記下方横架部材は、その前端部に前記開閉扉が回動可能に取り付けられていることを特徴としている。
この特徴によれば、構造が簡単であり開閉扉の閉鎖位置の精度を高められる。
【図面の簡単な説明】
【００１４】
【図１】実施例１における収納部が取り付けられた物品陳列棚を示す斜視図である。
【図２】収納部を示す分解斜視図である。
【図３】収納部の開閉扉が開放される手順を示す模式図である。
【図４】図３に続き、収納部の開閉扉が開放される手順を示す模式図である。
【図５】収納部の開閉扉が閉鎖される手順を示す模式図である。
【図６】図５に続き、収納部の開閉扉が閉鎖される手順を示す模式図である。
【図７】物品陳列棚の変形例１を示す斜視図である。
【図８】物品陳列棚の変形例２を示す斜視図である。
【発明を実施するための形態】
【００１５】
本発明に係る物品陳列棚を実施するための形態を実施例に基づいて以下に説明する。
【実施例１】
【００１６】
実施例１に係る物品陳列棚につき、図１から図８を参照して説明する。以下、図１の紙面左下側を物品陳列棚の正面側（前方側）とし、図１の紙面右上側を物品陳列棚の背面側（後方側）とし、その前方側から見たときの上下左右方向を基準として説明する。
【００１７】
本実施例の物品陳列棚１は、図１に示されるように、例えば、スーパーマーケットやドラッグストア等の売り場において使用されるものである。物品陳列棚１は、上段に取り付けられる物品収納装置１０と、中段に取り付けられる複数の陳列棚６と、下段に取り付けられるスカート部４と、から主に構成されており、左右一対の立設される支柱５，５に、これら物品収納装置１０、陳列棚６、スカート部４が取り付けられている。
【００１８】
物品収納装置１０は、本発明の下収納部３０（収納部）と、下収納部３０の上方に設けられる上収納部２０から構成されている。また、下収納部３０と上収納部２０には、物品の在庫等を収納することができるとともに、前面に広告情報等を掲示するようになっている。これら下収納部３０と上収納部２０の詳細は後述する。
【００１９】
支柱５，５は、スチールの打抜き加工および押出し成形等され、略柱状に形成されたものであり、前面の中央に複数の係止孔５１，５１，…が上下に所定間隔おきに設けられている。
【００２０】
また、左右一対の支柱５，５の間には、上下に亘って延在するバックパネル１５が取り付けられており、下端部にはスカート部４が固定されている。また、左右一対の支柱５，５を水平方向に連結する梁材が上下に所定間隔をおいて固定されている。なお、梁材は、バックパネル１５よりも後方に設けられているためその図示は省いている。
【００２１】
陳列棚６は、上下に離間して上方から見て重なる様に取り付けられた複数（図１では４段）の陳列棚６の中棚板６２，６２，…と、陳列棚６の中ブラケット６６，６６，…から構成されている。各陳列棚６の中棚板６２は、左右一対の支柱５，５の係止孔５１，５１，…に係止された、陳列棚６の一対の中ブラケット６６，６６に下方から支持・固定されて、水平に取り付けられている。陳列棚６の中棚板６２は、上面視略長方形の形状をしており、陳列棚６の中棚板６２の上面に物品を陳列することができる。
【００２２】
また、棚板は、前後幅を変えて形成することができ、本物品陳列棚１においては、その前後幅に応じて、中棚板６２と、大棚板６３（図２）と、特大棚板６４が用いられている。
【００２３】
尚、一対のブラケットに関しても、支持・固定する中棚板６２と、大棚板６３と、特大棚板６４の前後幅に応じて形成された、中ブラケット６６と、大ブラケット６７（図２）と、特大ブラケットが使用されている。
【００２４】
スカート部４は、床面に沿って前後方向に延びる図示されていない左右一対の脚部と下陳列棚４６との間に形成される空間は、正面斜め上向きに閉鎖する正面パネル４２と、これらの左右側方に設けられる側面パネル４３，４３とにより、前方・両側方が覆われているため、物品陳列棚１の下端部における外観が向上されている。
【００２５】
上述した左右一対の脚部は、支柱５，５にそれぞれ固定され、物品陳列棚１を直立させるように支持している。また、左右一対の脚部には高さ調節可能なアジャスタ４１，４１，…が取り付けられており、接地床面に応じてアジャスタ４１，４１，…を調節することで物品陳列棚１を安定した状態で設置することができる。
【００２６】
また、スカート部４の上部は、特大棚板６４と図示されていない一対の特大ブラケットにより下陳列棚４６が構成されており、下陳列棚４６上にも物品を陳列することができるようになっている。
【００２７】
物品収納装置１０は、上収納部２０と、上収納部２０の下方に位置する下収納部３０と、上収納部２０と下収納部３０に亘って両側部を覆うサイドパネル１３，１３と、上収納部２０とサイドパネル１３，１３の上端部に取り付けられるトップパネル１４と、一対の支柱５，５の間に上下に亘って延在するバックパネル１５とから構成されており、後部や両側部から物品が落下することを防止し、ホコリ等の侵入を防ぐとともに、収納された物品の露出を防ぎ、一体構成を演出することで外観を向上させている。尚、サイドパネル１３やトップパネル１４、バックパネル１５は、使用状況等に応じ物品収納装置１０に取り付けられていなくてもよい。
【００２８】
図２に示されるように、上収納部２０は、支柱５，５の最上部にある一対の係止孔５１，５１に係止される上面視略コ字状の支持枠２５と、支持枠２５とは離間して下方に取り付けられた上収納棚２３と、支持枠２５に一対のトルクヒンジ２２，２２を介して取り付けられる上開閉扉２１とから構成されている。上開閉扉２１は、一対のトルクヒンジ２２，２２により任意の角度に保持可能とされている。
【００２９】
支持枠２５は、一対の係止孔５１，５１に係止するための左右一対のブラケット部２５ａ，２５ａと、ブラケット部２５ａ，２５ａ前端部の間を連結する横杆部２６から構成され、上面視略コ字状に形成されている。また、横杆部２６は、水平に延びる底部２６ａと、この底部２６ａから立設する壁部２６ｂとにより断面視略Ｌ字状に形成され、壁部２６ｂの左右に二つずつボルトを挿嵌可能な丸孔２６ｂ’，２６ｂ’，…が設けられている。
【００３０】
尚、支持枠２５は、ブラケット部２５ａ，２５ａを支柱５，５の一対の係止孔５１，５１に取り付けることで、横杆部２６が水平となっている。
【００３１】
上開閉扉２１は、ＰＯＰ（ｐｏｉｎｔ−ｏｆ−ｐｕｒｃｈａｓｅ）パネル２１ａと、このＰＯＰパネル２１ａ上端部に亘って装着される取付部材２１ｂから構成されている。ＰＯＰパネル２１ａは、表面に商品情報が表示された略長方形状のアルミと樹脂の複合板から形成されている。取付部材２１ｂは、両側部が閉塞された断面視略ロ字状の長尺部材である。ＰＯＰパネル２１ａには図示されない丸孔が形成されている。また、取付部材２１ｂには、ＰＯＰパネル２１ａの丸孔に対応する位置に図示されていないその内側面部に雌ネジ部が形成された丸孔が設けられている。尚、ＰＯＰパネル２１ａは、商品情報が表示された略長方形状のアクリルパネルや、商品情報が記載された紙面が発泡スチロールボードに張り付けられたものであってもよい。さらに、ＰＯＰパネル２１ａは、両側端部および下端部にフレーム材等を嵌合させ補強してもよい。
【００３２】
また、トルクヒンジ２２の一端は、ＰＯＰパネル２１ａを介して取付部材２１ｂの雌ネジ部と螺合する図示されないボルトにより固定されている。また、トルクヒンジ２２の他端は、支持枠２５の丸孔２６ｂ’，２６ｂ’，…を介して、支持枠２５の横杆部２６に図示されていないボルトナットで固定されている。このように、上開閉扉２１は支持枠２５の横杆部２６に回動可能に取り付けられる。
【００３３】
上収納棚２３は、大棚板６３と、一対の大ブラケット６７，６７とにより形成され、上収納部２０の底部を構成しており、物品を収納する際の載置部となっている。尚、詳しくは後述するが、上収納棚２３は、下収納部３０の上部の構成も兼ねている。
【００３４】
上収納部２０は、上収納棚２３の支柱５から前端部までの前後寸法が、支持枠２５の支柱から前端部までの前後寸法と略同一寸法に形成されており、上開閉扉２１は下端部が上収納棚２３前端部に当接され閉鎖状態とされたとき略垂直状態となる。
【００３５】
また、上収納部２０は、上開閉扉２１を開放状態とする際、上開閉扉２１の重量が軽いため、片手で容易に開放させることができ、開放状態とした際も、トルクヒンジ２２により開放状態が維持されるため、手等によって開放状態を維持する必要が無いことから、両手で物品の出し入れを行うことができる。
【００３６】
また、上収納部２０は、上開閉扉２１を閉鎖状態とする際、上開閉扉２１を上収納棚２３の前端部へ当接するよう押圧させることで閉鎖状態とすることができるため、片手でも容易に操作を行うことができる。
【００３７】
次に下収納部３０について説明する。
下収納部３０は、上収納棚２３（上方横架部材）と、上収納棚２３より下方に取り付けられた下収納棚３３（下方横架部材）と、下開閉扉３１から構成されており、下開閉扉３１は上収納棚２３前端部と下収納棚３３前端部との間を前傾状態で閉鎖可能となっている。
【００３８】
上収納棚２３は、上述したように、大棚板６３と、一対の大ブラケット６７，６７とにより形成されるとともに上収納部２０の底部を兼用している。大棚板６３の裏面６３ａ（下収納部３０における天井面）には、ストッパ３６と、下垂片３７（係止部材）とが取り付けられている（図３（ａ）参照）。ストッパ３６は、断面視略Ｌ字状の長尺部材であり、大棚板６３の裏面に前端部左右に亘って図示されていないボルトナットで固定されている。下垂片３７は、断面視略Ｌ字状の長尺部材であり、その左右寸法はストッパ３６と略同一寸法であり、ストッパ３６の左右に亘って回転軸３８ａを有する一対の第二ヒンジ３８，３８を介して図示されていないボルトナットで支持部３６ｂに取り付けられており、規制部３６ａに当接した状態から大棚板６３の裏面６３ａ近傍まで略９０度回動可能となっている。
【００３９】
ストッパ３６（図３（ａ）参照）は、支持部３６ｂと規制部３６ａとから断面視略Ｌ字状に形成されている。支持部３６ｂは、大棚板６３の裏面６３ａ前端部へ左右に亘って下方から当接させ、かつ第二ヒンジ３８，３８をさらに下方から当接させて、第二ヒンジ３８，３８とともに図示されていないボルトナットより、大棚板６３に共締めにより取り付けられている。規制部３６ａは、支持部３６ｂ前部より略下方垂直方向に折り曲げ形成されている。
【００４０】
下垂片３７は、板状の係止部３７ａと、係止部３７ａの下端部を前方へ折り曲げ形成された把持部３７ｂとにより断面視略Ｌ字状に形成されている。係止部３７ａ上部の左右端部にそれぞれ二つずつボルトを挿嵌するための丸孔３７ａ’，３７ａ’（図２），…が設けられており、第二ヒンジ３８の他端がそれぞれ係止部３７ａの丸孔３７ａ’，３７ａ’を介して係止部３７ａに図示されていないボルトナットで取り付けられる。
【００４１】
また、下垂片３７は、詳しくは図４（ｂ）に示されているように、ストッパ３６の支持部３６ｂに第二ヒンジ３８を介して取り付けられているため、外部からの力が作用しない状態（以降、「自然状態」と記載）では、自重により係止部３７ａが垂直方向に沿う状態、すなわち下垂片３７の係止部３７ａがストッパ３６の規制部３６ａに当接した状態となっている。
【００４２】
下収納棚３３は、下収納棚３３の中棚板６２と下収納棚３３の一対の中ブラケット６６により構成されており、下収納棚３３の中棚板６２には、前端部に亘って規制部材３４が図示されていないボルトナットで取り付けられている。
【００４３】
規制部材３４は、詳しくは図３（ａ）に示されているように、下収納棚３３の中棚板６２に前方から取り付けた際、下収納棚３３の中棚板６２の前端部から前方に突出する断面視略逆三角形状の規制部３４ａと、規制部３４ａの上端部から後方に延出して略板状に形成された支持部３４ｂと、規制部３４ａから下収納棚３３の中棚板６２の前端部の傾斜面と略平行に形成された略板形状の取付部３４ｃと、取付部３４ｃ下端部から後方に延出し略板状に形成され支持部３４ｂと略平行な底部３４ｄが形成されている。また、規制部材３４は、支持部３４ｂ両端部に、それぞれ二つずつ形成された丸孔３４ｂ’，３４ｂ’，…（図２）に図示しされていないボルトナットを挿嵌させることで、下収納棚３３の中棚板６２前端部に亘って固定される。また、取付部３４ｃには、両端部にボルトを挿嵌可能な丸孔３４ｃ’，３４ｃ’，…（図２）が設けられている。
【００４４】
下開閉扉３１は、ＰＯＰパネル３１ａと、ＰＯＰパネル３１ａ下端部に亘って装着される取付部材３１ｂから構成されている。ＰＯＰパネル３１ａには図示されない丸孔が形成されている。また、取付部材３１ｂには、ＰＯＰパネル３１ａの丸孔に対応する位置に図示されていないその内側面部に雌ネジ部が形成された丸孔が設けられている。尚、ＰＯＰパネル３１ａは、商品情報が表示された略長方形状のアクリルパネルや、商品情報が記載された紙面が発泡スチロールボードに張り付けられたものであってもよい。さらに、ＰＯＰパネル３１ａは、両端部および下端部にフレーム材等を嵌合させ補強してもよい。
【００４５】
また、下開閉扉３１は、第一ヒンジ３２を介して下収納棚３３に取り付けられており、閉鎖方向に回動させたときに規制部材３４の規制部３４ａと当接する位置（図３（ｂ））から開放方向に回動し自重により垂直状態となる位置（図４（ｂ））まで少なくとも略１８０度以上回動可能に取り付けられており、垂直状態となる位置（図４（ｂ））よりさらに後方へと回動することができるようになっている。具体的には、ＰＯＰパネル３１ａの表面の下端部に取付部材３１ｂを当接させた状態で、取付部材３１ｂの図示されていない丸孔に図示されていないボルトナットを挿通して回動軸３２ａを有する第一ヒンジ３２の一端に固定する。また、第一ヒンジ３２の他端を規制部材３４の取付部３４ｃに設けられた丸孔３４ｃ’，３４ｃ’，…（図２）に図示されていないボルトナットを挿通して回動軸３２ａを有する第一ヒンジ３２の他端に固定する。
【００４６】
また、第一ヒンジ３２は、規制部材３４の取付部３４ｃに下開閉扉３１が取り付けられた際、第一ヒンジ３２の回動軸３２ａが規制部３４ａの前端部３４ａ’より後方に位置している。
【００４７】
尚、規制部材３４は、下収納棚３３の中棚板６２の前端部に亘って長尺のものが一個取り付けられる態様として説明したが、これに限らず、複数に分割された態様でもよく、下収納棚３３の中棚板６２の前端部において第一ヒンジ３２，３２の取り付け位置に対応する位置にのみ個別に取り付けられるものであってもよい。
【００４８】
ついで、閉鎖状態の下収納部３０を開放する際の態様を、図３〜４を用いて詳しく説明する。
【００４９】
図３（ａ）に示されるように、閉鎖時の下開閉扉３１は、前傾状態とされている。すなわち、下開閉扉３１は、第一ヒンジ３２を介して下収納棚３３前端部に固定され、上方に位置する下垂片３７は、第一ヒンジ３２よりも前方に位置するため、下開閉扉３１には自重による回転モーメントが作用し、開放方向への回動が下垂片３７により規制されることで、前傾状態で静止し、下収納部３０の閉鎖状態が保持されている。
【００５０】
言い替えれば、下垂片３７は、下開閉扉３１の自重により下開閉扉３１上端部から当接され、開放方向へと押圧されているが、下垂片３７は大棚板６３前端部に取り付けられているストッパ３６の規制部３６ａによって開方向への回動が規制されることで、下収納部３０の閉鎖状態が維持されている。
【００５１】
閉鎖状態の下開閉扉３１を開放する際は、図３（ａ）の状態から、下垂片３７の把持部３７ｂを手指等で把持した状態で後方へと押して、下垂片３７の下端部を下開閉扉３１の上端部とともに後方へと回動させると、下垂片３７の下端部と下開閉扉３１の上端部との重なり代は徐々に少なくなり、重なり代が略ゼロ（図３（ｂ）の破線を参照。）となった後、下開閉扉３１の上端部と下垂片３７の下端部とのそれぞれの回動軌跡Ａ、Ｂが重複しなくなり、下垂片３７の下端部と下開閉扉３１の上端部は離間する（図３（ｂ）の実線を参照）。すなわち、重なり代が略ゼロ（図３（ｂ）の破線を参照）の位置を境に下開閉扉３１上端部と下垂片３７下端部との前後位置が入れ替わる。
【００５２】
下垂片３７との係合が外れた下開閉扉３１は、前方へと回動可能となり、下開閉扉３１を開放位置（図４（ｂ））に移動可能となる。このとき、下開閉扉３１は、下収納棚３３前端部の規制部３４ａにより後方への回動が略垂直状態の位置に規制されているため、下開閉扉３１は自重により前方へと回動しやすくなっている。なお、規制部３４ａによる下開閉扉３１を規制する角度は略垂直を例に説明しているが、下開閉扉３１を前傾状態に規制するものであってもよい。また、図４（ａ）に示されるように下垂片３７を後方へ回動した状態に把持しておくことにより、下開閉扉３１の前方への回動は下垂片３７に規制されず、下開閉扉３１を開放方向に回動させることができる。
【００５３】
図４（ｂ）に示されるように、下開閉扉３１がストッパ３６よりも前方へ回動した後、言い換えると下開閉扉３１の回動軌跡Ａと下垂片３７の回動軌跡Ｂとが重ならない位置となった後、下垂片３７から把持した手指等を離し後方への回動を解除する。後方への回動が解除された下垂片３７は、前方へと回動しストッパ３６の規制部３６ａに当接し、自然状態となる。
【００５４】
また、ストッパ３６よりも前方へ回動した下開閉扉３１は、自重により回動し続け、図４（ｂ）に示されるように、下開閉扉３１が自重により第一ヒンジ３２の回転軸を支点として垂直方向に沿った状態で静止する。このとき、下開閉扉３１の開放状態が保持されるため、両手で下収納部３０に物品を収納することができる。
【００５５】
このように、手指等で下垂片３７の把持部３７ｂを把持し後方（一方向）へと押すことで、下開閉扉３１上端部と下垂片３７下端部との前後位置が入れ替わり、下開閉扉３１は開放され、下収納部３０の開放状態が保持される。よって、片手でも容易に下収納部３０を開放することができる。
【００５６】
尚、規制部材３４の規制部３４ａは、前端部に弾性を有するパッキン材等が取り付けられてもよく、この態様であれば、下開閉扉３１の前端部を後方へ回動させようとした際、下開閉扉３１の下部が規制部３４ａ前端部に押圧されることで発生するＰＯＰパネル３１ａの破損等を抑止できる。
【００５７】
尚、規制部材３４の取付部３４ｃは、その下端部が第一ヒンジ３２の回動軸３２ａよりも下方にまで延出されていてもよく、この態様であれば、第一ヒンジ３２の下方への回動が取付部３４ｃに規制されるため、陳列棚６に陳列された商品等に下開閉扉３１が接触等することを防止することができる。
【００５８】
ここで、開放された下収納部３０を閉鎖する際の態様を、図５〜６を用いて詳しく説明する。
【００５９】
図５（ａ）に示されるように、開放時の下開閉扉３１は、第一ヒンジ３２を介して下収納棚３３前端部に固定され、自重により第一ヒンジ３２の回転軸を支点として垂直方向上で静止しているため、下収納部３０の開放状態が保持されている。
【００６０】
開放状態の下収納部３０を閉鎖する際は、図５（ａ）の状態から、手指等で下開閉扉３１の前面を押し上げることで下開閉扉３１を閉鎖方向へと回動させ、下開閉扉３１上端部の後面を下垂片３７の把持部３７ｂ前端部へと当接させ、その状態からさらに後方へと押し、下開閉扉３１の上端部を下垂片３７の下端部とともに後方へと回動させると、下開閉扉３１上端部と把持部３７ｂ前端部の重なり代は徐々に少なくなり、重なり代が略ゼロ（図５（ｂ）の破線を参照。）となった後、下開閉扉３１の上端部と把持部３７ｂ前端部とのそれぞれの回動軌跡Ａ、Ｂは重複しなくなり、下垂片３７下端部と下開閉扉３１の上端部は離間する（図５（ｂ））。すなわち、重なり代が略ゼロ（図５（ｂ）の破線を参照）の位置を境に下開閉扉３１上端部と下垂片３７下端部との前後位置が入れ替わる（図５（ｂ）の実線を参照）。
【００６１】
下開閉扉３１を手指等により押圧し下開閉扉３１を規制部３４ａにより略垂直に維持しておくことにより、下開閉扉３１と下垂片３７の係合が外れた下垂片３７は、前方へと回動可能となり、自重によりストッパ３６に向かって回動する。
【００６２】
下垂片３７が前方へ回動すると、ストッパ３６の規制部３６ａに下垂片３７の係止部３７ａが当接することで規制され、図６（ａ）に示されるように、係止部３７ａに当接した状態で自然状態となる。
【００６３】
この後、手指等を離し、下開閉扉３１が略垂直に規制された状態を解除することで、下開閉扉３１は自重により前方へと回動し、下垂片３７の係止部３７ａに下開閉扉３１の上端が当接し、係止されることで、自重により前傾状態での閉鎖状態が保持される。
【００６４】
このように、手指等で下開閉扉３１の表面を押し上げ、後方（一方向）へと押すことで、下開閉扉３１上端部と下垂片３７下端部との前後位置が入れ替わり、下開閉扉３１は閉鎖され、容易に閉鎖状態が保持される。よって、片手でも容易に下収納部３０を閉鎖することができる。
【００６５】
下開閉扉３１は、その下端部に第一ヒンジ３２，３２を介して下収納棚３３の中棚板６２に取り付けられていることで、下垂片３７の係止部３７ａに下開閉扉３１の上端が係止され、自重により前傾状態での閉鎖状態が保持されているため、地震等により振動が加わっても、下開閉扉３１は下垂片３７により前方への回動が規制されているため開放することがなく、故に下収納部３０から物品の落下を防ぐことができる。
【００６６】
下垂片３７は、手指等で押圧することで後方へ回動させる際、把持部３７ｂが前後方向への長さがある形状であるため、把持部３７ｂを手指等で把持した際、手指等が下開閉扉３１より前方に位置し下開閉扉３１とは離間するため、下開閉扉３１が手指等に接触することがなく、開閉における操作性が向上するとともに、指を挟み難くすることができる。
＜変形例１＞
【００６７】
これまで、物品陳列棚１が一台である時の態様として説明してきたが、複数の物品陳列棚１を横に連接させた物品陳列棚群１１の態様を、物品収納装置の変形例１として、図７を参照して説明する。尚、前述した物品収納装置１０の構成部分と同一構成部分については同一符号を付して重複する構成の説明を省略し、図１に示される一台の物品陳列棚１の形態とは異なるトップパネル１４’の形状とサイドパネル１３，１３の配置位置を中心に説明する。
【００６８】
図７に示されるように、物品陳列棚群１１は、物品陳列棚１’，１’，…が連接されることで形成されており、物品陳列棚群１１の左端部に位置する物品陳列棚１の左端部および物品陳列棚群１１の右端部に位置する物品陳列棚１の右端部にのみサイドパネル１３，１３と側面パネル４３，４３とを取り付け、物品陳列棚群１１の両端部に亘る長さに形成されたトップパネル１４’を物品陳列棚群１１上端部へ取り付けている。このようにすることで、収納部は左右に渡り広い収納空間を確保できるとともに、物品陳列棚群１１の一体感を演出され、美観が向上する。
【００６９】
尚、サイドパネル１３，１３や側面パネル４３、トップパネル１４’は、使用状況に応じ物品陳列棚群１１に取り付けられていなくてもよい。また、サイドパネル１３は、各物品収納装置１０に取り付けられていてもよい。
【００７０】
また、物品陳列棚群１１は、物品収納装置１０の上収納部２０の上開閉扉２１と下収納部３０の下開閉扉３１が閉鎖状態にあっては、上開閉扉２１，２１，…および下開閉扉３１，３１，…は、特に閉鎖状態で前傾状態とされる下開閉扉３１，３１、・・・は上述したように、自重による回転モーメントを受けて位置決めされるため、それぞれの静止する位置および角度が略同一であるため、美観が向上する。
＜変形例２＞
【００７１】
これまで、物品収納装置１０が上収納部２０と下収納部３０から構成される態様として説明してきたが、下収納部３０のみを収納部として物品収納装置を構成する態様を変形例２とし、図８を参照して説明する。尚、前述した物品収納装置１０の構成部分と同一構成部分については同一符号を付して重複する構成の説明を省略し、物品陳列棚１とは異なる上方横架部材の構成を中心に説明する。なお、説明の便宜上、サイドパネル１１３と、トップパネル１１４と、第一ヒンジ１３２とを破線で示している。
【００７２】
図８に示されるように、物品収納装置１１０は、物品陳列棚１００の上段に取り付けられており、収納部１３０と、一対のサイドパネル１１３，１１３から構成されている。
【００７３】
収納部１３０は、トップパネル１１４（上方横架部材）と、支持枠１２５（上方横架部材）と、収納棚１３３（下方横架部材）と、開閉扉１３１から構成されている。支持枠１２５は、横杆部１２６に下垂片１３７が第二ヒンジ１３８，１３８を介して取り付けられており、開閉扉１３１を前傾状態で係止することができる。
【００７４】
尚、サイドパネル１１３やトップパネル１１４は、使用状況に応じ物品収納装置１１０に取り付けられていなくてもよい。
【００７５】
以上説明してきたように、本実施例における下収納部３０が取り付けられた物品陳列棚１は、下開閉扉３１は、その下方が下収納棚３３に第一ヒンジ３２により取り付けられ、その上方が第一ヒンジ３２よりも前方で上収納棚２３に取り付けられた下垂片３７に係止可能とされているため、下開閉扉３１を閉鎖したときに下開閉扉３１は前傾状態となり、この状態で下開閉扉３１には自重により開放方向へのモーメントが作用して、下開閉扉３１の上端部側の前端部を下垂片３７に当接させることとなり、確実に下開閉扉３１による閉鎖状態を維持できる。
【００７６】
また、下収納部３０は、下開閉扉３１と下垂片３７の前後位置が入れ替えることで下開閉扉３１を開閉させることができるため、片手でも容易に下開閉扉３１の開閉作業を行うことができる。
【００７７】
また、下垂片３７と、下垂片３７の前方への回動を規制するストッパ３６が、ともに上収納棚２３に設けられているため、単純な構造とすることができる。
【００７８】
また、上収納棚２３は、支柱５，５に対して平行な裏面前端部の左右に亘ってストッパ３６が取り付けられ、そのストッパ３６に下垂片３７が取り付けられた簡単な構造であるため、下垂片３７を取り付けるにあたって位置合わせをせずとも、閉鎖状態としたときの閉鎖位置の精度を高められる。
【００７９】
また、下収納棚３３は、支柱５，５に対して平行な前端部の左右に亘って規制部材３４が取り付けられ、その規制部材３４に下開閉扉３１が取り付けられた簡単な構造であるため、下開閉扉３１閉鎖状態としたときの閉鎖位置の精度を高められる。
【００８０】
以上、本発明の実施例を図面により説明してきたが、具体的な構成はこれら実施例に限られるものではなく、本発明の要旨を逸脱しない範囲における変更や追加があっても本発明に含まれる。
【００８１】
例えば、前記実施例では、開閉扉は、上方横架部材前端部と収納棚前端部とを前傾状態で閉鎖する態様について説明したが、これに限らず、前傾状態は、開閉扉の閉鎖状態においては、開閉扉の少なくとも一部が前傾していればよい。ようするに、開閉扉の一部が前傾していることで開閉扉は自重による開放方向へのモーメントが作用するものであればよい。
【００８２】
物品収納装置は、物品陳列棚の上部に取り付けられる態様として説明したが、これに限らず、上部以外に取り付けられていてもよい。この態様であれば、商品宣伝等の演出に合わせることができる。
【００８３】
第一ヒンジは、第一ヒンジの回転軸が規制部材の規制部前端部より後方に位置している態様として説明したが、これに限らず、開閉扉が規制部に規制された際、後傾状態とならなければ、規制部前端部より前方に位置していてもよい。この態様であれば、厚みのあるＰＯＰパネルであっても容易に開閉させることができる。
【００８４】
第一ヒンジとして、軸と一対の取付部とを有するもの（いわゆる蝶番）を例に説明したが、開閉扉と下方横架部材とが相対的に回動するヒンジであればよく、例えば、開閉扉が軸部と当該軸部に回転方向に摺動ガイドする被摺動部とのうちの一方、下方横架部材が軸部と当該軸部に回転方向に摺動ガイドする被摺動部とのうちの他方を有するものであってもよい。
【００８５】
係止部材として、回動可能な下垂片について説明したが、開閉扉の上端部の回動軌跡ないに進退可能なものであればよく、例えば、上下方向に進退可能に構成された部材であってもよい。
【００８６】
下垂片は、下垂片の回転手段として第二ヒンジを用いる態様として説明したが、これに限らず、バネ等の弾性部材を回転手段としてもよい。例えば、バネ等の一端を下垂片に取り付け、バネ等の他端を支持部等に取り付けることで、回転手段とすることができる。
【００８７】
ＰＯＰパネルは、商品情報が表示された略長方形状のアルミと樹脂の複合板で形成された態様として説明したが、これに限らず、アクリルパネル等を張り重ねられたものであったり、鋳造されたものであったりと、立体的に形成されていてもよい。
【００８８】
規制部材は、下収納棚の中棚板の前端部から突出する断面視略逆三角形状の態様として説明したが、これに限らず、断面視略丸状等、他の形状であってもよい。
【００８９】
上方横架部材、下方横架部材は、棚板と、一対のブラケットで構成されている態様として説明したが、これに限らず、棚板が網・格子棚等であってもよく、枠体であってもよく、ブラケット以外のもので支柱に支持されていてもよく、さらにブラケットのような支柱に支持される部材以外のもので支持されていてもよい。
【符号の説明】
【００９０】
１，１’，１００  物品陳列棚
４                スカート部
５                支柱
６                陳列棚
１０，１１０      物品収納装置
１１              物品陳列棚群
２３              上収納棚（上方横架部材）
２５              支持枠
３０              下収納部（収納部）
３１              下開閉扉（開閉扉）
３２，１３２      第一ヒンジ
３２ａ            回動軸（軸）
３３              下収納棚（下方横架部材）
３４              規制部材
３６              ストッパ
３７，１３７      下垂片（係止部材）
３７ｂ            把持部
３８，１３８      第二ヒンジ
３８ａ            回転軸（軸）
４６              下陳列棚
１１４            トップパネル（上方横架部材）
１２５            支持枠（上方横架部材）
１３０            収納部
１３１            開閉扉
１３３            収納棚（下方横架部材）
Ａ                回動軌跡
Ｂ                回動軌跡
【図１】
2018000632.tif 000003
【図２】
2018000632.tif 000004
【図３】
2018000632.tif 000005
【図４】
2018000632.tif 000006
【図５】
2018000632.tif 000007
【図６】
2018000632.tif 000008
【図７】
2018000632.tif 000009
【図８】
2018000632.tif 000010